(57)【要約】      （修正有）【課題】ゴミの付着によりテープの端が見つけにくい問題や髪の毛などの巻きつきによりテープの交換が困難となる問題を解消する、粘着ロールテープと粘着ロール掃除器を提供する。【解決手段】粘着ロール掃除器Ａ１１の粘着ロール装着部Ａ３７の一部に、粘着ロール掃除器を持ち上げた時に粘着テープＡ２４の切り取り位置が上面になるように重りＡ１８を設け、切り取り位置を直ぐに発見できるようにした。さらに粘着テープをＣの字状に積層して溝を設け、この溝を滑動して前記巻きついた髪の毛などを切断する機構を設けた。【選択図】図１
2019208959.tif 000002
【特許請求の範囲】
【請求項１】
粘着ロール掃除器の粘着ロール装着部の一部に重りを設けたことを特徴とする
テープ交換が簡単な粘着ロール掃除器
【請求項２】
粘着ロール掃除器の粘着ロール装着部の一部に重りを設け、前記粘着ロール装着部に
粘着テープをCの字状に積層して溝を設けた略ロール状の粘着ロールテープを設けたことを特徴とする
テープ交換が簡単な粘着ロール掃除器
【請求項３】
粘着ロール掃除器の粘着ロール装着部（A37）の一部に、粘着ロールを装着時に粘着ロールに設けた溝（A26）と
揃う溝（A43）を設けたことを特徴とする
テープ交換が簡単な粘着ロール掃除器
【請求項４】
請求項１から請求項３に記載のいずれかの粘着ロール掃除器において、
粘着ロール掃除器の粘着ロール装着部（A37）に、粘着ロールの芯を固定する
固定溝（A21）を設けたことを特徴とする
テープ交換が簡単な粘着ロール掃除器
【請求項５】
請求項１から請求項４に記載のいずれかの粘着ロール掃除器において、
刃を備えたカット具をさらに設けたことを特徴とする
テープ交換が簡単な粘着ロール掃除器
【請求項６】
請求項５に記載のいずれかの粘着ロール掃除器において、
案内バー（A25）を滑動自在にスライドする刃（A４４）が
粘着ロールテープの溝（A26）を滑動して粘着ロール（A27）に絡まった髪の毛などを切断
自在に設けたことを特徴とする
テープ交換が簡単な粘着ロール掃除器
【請求項７】
請求項１から請求項６に記載のいずれかの粘着ロール掃除器において、
軸棒（A１６）の一部にさらに
案内バー（A25）と前記案内バー（A25）を滑動自在にスライドする刃（A４４）を備えたカット具（A１５）を
前記軸棒（A１６）に回動自在に設け
さらに前記カット具（A１５）の前記軸棒（A１６）を介したもう一方側に重り（A４２）を
設けたことを特徴とする
テープ交換が簡単な粘着ロール掃除器
【請求項８】
請求項５から請求項７に記載のいずれかの粘着ロール掃除器において、
前記刃が、弾性の力により所定の位置にスライドして戻ることを特徴とする
テープ交換が簡単な粘着ロール掃除器
【請求項９】
請求項５から請求項７に記載のいずれかの粘着ロール掃除器において、
前記刃が、ゴムの力により所定の位置にスライドして戻ることを特徴とする
テープ交換が簡単な粘着ロール掃除器
【請求項１０】
請求項５から請求項７に記載のいずれかの粘着ロール掃除器において、
前記刃が、バネの力により所定の位置にスライドして戻ることを特徴とする
テープ交換が簡単な粘着ロール掃除器
【請求項１１】
請求項５から請求項７に記載のいずれかの粘着ロール掃除器において、
カット具の一部に巻きバネ（A３１）を備えた巻取り部（A３３）をさらに設け
前記巻取り部（A33）と刃（A44）を備えたカット部（A１４）とを繋いでバネの力により
所定の位置にスライドして戻るように設けたことを特徴とする
テープ交換が簡単な粘着ロール掃除器
【請求項１２】
請求項５から請求項１１に記載のいずれかの粘着ロール掃除器において、
カット部（A１４）の一部にスライド時に髪の毛などを収集して刃（A４４）に集める
収集部（A４５）をさらに設けたことを特徴とする
テープ交換が簡単な粘着ロール掃除器
【請求項１３】
請求項１２に記載の粘着ロール掃除器において、
カット部（A１４）の一部に設けた収集部（A４５）をさらに
前後両側に設けたことを特徴とする
テープ交換が簡単な粘着ロール掃除器
【請求項１４】
粘着掃除器に装着自在な
粘着テープをCの字状に積層して溝を設けた略ロール状としたことを特徴とする粘着ロールテープ
【請求項１５】
請求項１４に記載の粘着ロールテープにおいて
さらに粘着ロールテープの一部に重りを設けたことを特徴とする粘着ロールテープ
【請求項１６】
請求項１４から請求項１５に記載のいずれかの粘着ロールテープにおいて
積層した粘着テープの両方の端（A36）と粘着テープの芯（A20）に接合材（A28）を塗り
積層した粘着テープ同士の両側の端（A36）と積層した粘着テープの芯（A20）を接合材（A28）により
接着して固定したことを特徴とする
粘着ロールテープ
【請求項１７】
請求項１４から請求項１６に記載のいずれかの粘着ロールテープにおいて
接合材で積層された粘着テープ（A24）を一枚ずつめくり剥がすための
つまみ（A23）を粘着テープの一部にさらに設けたことを特徴とする
粘着ロールテープ
【請求項１８】
請求項１４から請求項１７に記載のいずれかの粘着ロールテープにおいて
粘着ロールの芯の一部にフック（A22）を設けたことを特徴とする
粘着ロールテープ
【請求項１９】
請求項１から請求項５に記載のいずれかの粘着ロール掃除器において、
刃（A48）を備えたカット具（A50）を
粘着ロール掃除器の一部に収納自在にさらに設けたことを特徴とする
テープ交換が簡単な粘着ロール掃除器
【請求項２０】
請求項６から請求項１３に記載のいずれかの粘着ロール掃除器において、
刃（A48）を備えたカット具（A50）を
粘着ロール掃除器の一部に収納自在にさらに設けたことを特徴とする
テープ交換が簡単な粘着ロール掃除器
【請求項２１】
請求項１７から請求項１８に記載のいずれかの粘着ロールテープにおいて
接合材で積層された粘着テープ（A24）を一枚ずつめくり剥がすための
つまみ（A23）を粘着テープの一部に２つずつ並べて設けたことを特徴とする
粘着ロールテープ
【請求項２２】
請求項１７から請求項１８及び請求項２１に記載のいずれかの粘着ロールテープにおいて、
さらに粘着ロールテープの切り取りを自在にするミシン目加工（A46）を、つまみ（A23）から
半直線上にもう一方の筒の端まで設けたことを特徴とする粘着ロールテープ
【請求項２３】
請求項２１に記載のいずれかの粘着ロールテープにおいて、
さらに粘着ロールテープの切り取りを自在にするミシン目加工（A46）を、２つ並べたつまみ（A23）の
間から半直線上にもう一方の筒の端まで設けたことを特徴とする粘着ロールテープ
【請求項２４】
請求項１６から請求項１８及び請求項２１から請求項２３に記載のいずれかの粘着ロールテープにおいて、
さらに接合材に繊維を追加したことを特徴とする粘着ロールテープ
【請求項２５】
請求項１４から請求項１８及び請求項２１から請求項２４に記載のいずれかの粘着ロールテープにおいて、
さらに粘着ロールテープのテープ交換までの手順番号を粘着ロールテープに表記したことを特徴とする
粘着ロールテープ
【請求項２６】
請求項１から請求項１３及び請求項１９から請求項２０に記載のいずれかの粘着ロール掃除器において、
さらに粘着ロールテープのテープ交換までの手順番号を粘着ロール掃除器の部品に表記したことを特徴とする
テープ交換が簡単な粘着ロール掃除器
【請求項２７】
請求項１４から請求項１８及び請求項２１から請求項２５に記載のいずれかの粘着ロールテープにおいて
粘着ロール掃除器に装着自在に設けたことを特徴とする
テープ交換が簡単な粘着ロール掃除器
【請求項２８】
請求項１４から請求項１８及び請求項２１から請求項２５に記載のいずれかの粘着ロールテープにおいて
請求項１から請求項９１３及び請求項１９から請求項２０及び請求項２６に記載のいずれかの
粘着ロール掃除器に装着自在に設けたことを特徴とする
テープ交換が簡単な粘着ロール掃除器
【発明の詳細な説明】
【技術分野】
【０００１】
本発明は、掃除によりテープ面に髪の毛などが巻き付いてしまっても新しいテープ面へ簡単に交換できる粘着ロールテープと粘着ロール掃除器
に関するものである。
【発明の開示】
【発明が解決しようとする課題】
【０００２】
従来のような粘着ロール掃除器では、髪の毛などがテープ面に巻きつくことにより
新しいテープ面に交換することができないという不都合と
テープの切断面が判別しにくいという不都合を解決することを課題とする
【課題を解決するための手段】
【０００３】
請求項１に記載の発明は
粘着ロール掃除器の粘着ロール装着部の一部に重りを設けたことを特徴とする
テープ交換が簡単な粘着ロール掃除器
である
これにより
粘着ロール掃除器を持ち上げた時に、重りにより粘着ロールテープ回動し常に重りの位置が下になるため、
粘着ロールテープの切り取りを上面にすることで以降のテープ面をめくる際に切り取り位置を直ぐに発見
することができる
【０００４】
請求項２に記載の発明は
粘着ロール掃除器の粘着ロール装着部の一部に重りを設け、前記粘着ロール装着部に
粘着テープをCの字状に積層して溝を設けた略ロール状の粘着ロールテープを設けたことを特徴とする
テープ交換が簡単な粘着ロール掃除器である
これにより
粘着ロール掃除器を持ち上げた時に、重りにより粘着ロールテープ回動し常に重りの位置が下になり
、Cの字状に積層した粘着ロールテープの溝が上方向になるため
ロールテープのめくる位置であるCの字状に積層されたロールテープの溝部分を一目で確認でき、
容易に新しいテープに交換することができる
【０００５】
請求項３に記載の発明は
粘着ロール掃除器の粘着ロール装着部（A37）の一部に、粘着ロールを装着時に粘着ロールに設けた溝（A26）と
揃う溝（A43）を設けたことを特徴とする
テープ交換が簡単な粘着ロール掃除器である
これにより
粘着ロール掃除器を持ち上げた時に、重りにより粘着ロールテープ回動し常に重りの位置が下になり
、Cの字状に積層した粘着ロールテープの溝が上方向になるため
ロールテープのめくる位置であるCの字状に積層されたロールテープの溝部分を一目で確認でき、
容易に新しいテープに交換することができ、また
粘着ロールに設けた溝（A26）と前記溝（A26）に揃う溝（A43）により
粘着ロープテープに絡まった髪の毛などを切断する際に下の粘着ロールや粘着ロール掃除器を傷つけることなく
切断することができる
【０００６】
請求項４に記載の発明は
請求項１から請求項３に記載のいずれかの粘着ロール掃除器において、
粘着ロール掃除器の粘着ロール装着部（A37）に、粘着ロールの芯を固定する
固定溝（A21）を設けたことを特徴とするテープ交換が簡単な粘着ロール掃除器である
これにより
粘着ロール掃除器に粘着ロールをしっかりと固定して取り付けることができる
【０００７】
請求項５に記載の発明は
請求項１から請求項４に記載のいずれかの粘着ロール掃除器において、
刃を備えたカット具をさらに設けたことを特徴とする
テープ交換が簡単な粘着ロール掃除器である
これにより
粘着ロールテープに絡まった髪の毛などを切断して取り除くことができる
【０００８】
請求項６に記載の発明は
請求項５に記載のいずれかの粘着ロール掃除器において、
案内バー（A25）を滑動自在にスライドする刃（A４４）が
粘着ロールテープの溝（A26）を滑動して粘着ロール（A27）に絡まった髪の毛などを切断
自在に設けたことを特徴とするテープ交換が簡単な粘着ロール掃除器である
これにより
粘着ロールテープに絡まった髪の毛などを切断して取り除くことができる
【０００９】
請求項７に記載の発明は
請求項１から請求項６に記載のいずれかの粘着ロール掃除器において、
軸棒（A１６）の一部にさらに
案内バー（A25）と前記案内バー（A25）を滑動自在にスライドする刃（A４４）を備えたカット具（A１５）を
前記軸棒（A１６）に回動自在に設けさらに前記カット具（A１５）の前記軸棒（A１６）を介した
もう一方側に重り（A４２）を設けたことを特徴とするテープ交換が簡単な粘着ロール掃除器である
これにより
粘着ロール掃除器を持ち上げることで重り（A42）により
カット具（A15）が回動して、刃（A44）が上方向に回動すると共に
重り（A18）により粘着ロールの溝（A26）も上方向に回動するため粘着ロールテープの溝（A26）の部分の
絡まっている髪の毛などを刃（A44）を備えたカット部（A44）をスライドすることで容易に切断
することができる
【００１０】
請求項８に記載の発明は
請求項５から請求項７に記載のいずれかの粘着ロール掃除器において、
前記刃が、弾性の力により所定の位置にスライドして戻る
ことを特徴とするテープ交換が簡単な粘着ロール掃除器である
これにより
髪の毛などを刃により切断した後に所定の位置に手で戻さなくても、手を離すだけで所定の位置に
戻すことができる
【００１１】
請求項９に記載の発明は
請求項５から請求項７に記載のいずれかの粘着ロール掃除器において、
前記刃が、ゴムの力により所定の位置にスライドして戻ることを特徴とする
テープ交換が簡単な粘着ロール掃除器である
これにより
髪の毛などを刃により切断した後に所定の位置に手で戻さなくても、手を離すだけで所定の位置に戻すこと
ができる
【００１２】
請求項１０に記載の発明は
請求項５から請求項７に記載のいずれかの粘着ロール掃除器において、
前記刃が、バネの力により所定の位置にスライドして戻る
ことを特徴とするテープ交換が簡単な粘着ロール掃除器である
これにより
髪の毛などを刃により切断した後に所定の位置に手で戻さなくても、手を離すだけで所定の位置に戻すこと
ができる
【００１３】
請求項１１に記載の発明は
請求項５から請求項７に記載のいずれかの粘着ロール掃除器において、
カット具の一部に巻きバネ（A３１）を備えた巻取り部（A３３）をさらに設け
前記巻取り部（A33）と刃（A44）を備えたカット部（A１４）とを繋いでバネの力により所定の位置に
スライドして戻るように設けたことを特徴とするテープ交換が簡単な粘着ロール掃除器である
これにより
髪の毛などを刃により切断した後に所定の位置に手で戻さなくても、手を離すだけで所定の位置に戻すこと
ができる
【００１４】
請求項１２に記載の発明は
請求項５から請求項１１に記載のいずれかの粘着ロール掃除器において、
カット部（A１４）の一部にスライド時に髪の毛などを収集して刃（A４４）に集める収集部（A４５）をさらに
設けたことを特徴とするテープ交換が簡単な粘着ロール掃除器である
これにより
髪の毛をより集めることができるため、粘着ロールに巻き付いた髪の毛などをより切断
することができる
【００１５】
請求項１３に記載の発明は
請求項１２に記載の粘着ロール掃除器において、
カット部（A１４）の一部に設けた収集部（A４５）をさらに
前後両側に設けたことを特徴とするテープ交換が簡単な粘着ロール掃除器である
これにより
髪の毛をより集めることができるため、粘着ロールに巻き付いた髪の毛などをより切断
することができる
【００１６】
請求項１４に記載の発明は
粘着掃除器に装着自在な粘着テープをCの字状に積層して溝を設けた略ロール状としたことを特徴とする
粘着ロールテープである
これにより
粘着テープの切り取り位置を探すという手間を省くことができる
【００１７】
請求項１５に記載の発明は
請求項１４に記載の粘着ロールテープにおいて
さらに粘着ロールテープの一部に重りを設けたことを特徴とする粘着ロールテープである
これにより
粘着ロール掃除器を持ち上げた時に、重りにより粘着ロールテープが回動し常に重りの
位置が下になるため、粘着ロールテープの溝部分が上面にくるため、常に新しいテープ
を剥がす位置が上にくるため、新しい面のテープ交換を容易に行うことができる
【００１８】
請求項１６に記載の発明は
請求項１４から請求項１５に記載のいずれかの粘着ロールテープにおいて
積層した粘着テープの両方の端（A36）と粘着テープの芯（A20）に接合材（A28）を塗り
積層した粘着テープ同士の両側の端（A36）と積層した粘着テープの芯（A20）を接合材（A28）により
接着して固定したことを特徴とする粘着ロールテープである
これにより
粘着テープの芯と粘着テープの端を接合材で接着して固定しているため
積層した粘着ロールがバラバラに捲れたり剥がれることなく掃除することができる
【００１９】
請求項１７に記載の発明は
請求項１４から請求項１６に記載のいずれかの粘着ロールテープにおいて
接合材で積層された粘着テープ（A24）を一枚ずつめくり剥がすための
つまみ（A23）を粘着テープの一部にさらに設けたことを特徴とする粘着ロールテープである
これにより
つまみにより横からめくることで接合材で接着して固定した粘着ロールテープを一枚ずつめくり剥がすことができる
【００２０】
請求項１８に記載の発明は
請求項１４から請求項１７に記載のいずれかの粘着ロールテープにおいて
粘着ロールの芯の一部にフック（A22）を設けたことを特徴とする粘着ロールテープである
これにより
これにより粘着ロールを粘着ロール掃除器にしっかりと固定して装着することができる
【００２１】
請求項１９に記載の発明は
請求項１から請求項５に記載のいずれかの粘着ロール掃除器において、
刃（A48）を備えたカット具（A50）を粘着ロール掃除器の一部に収納自在にさらに設けたことを特徴とする
テープ交換が簡単な粘着ロール掃除器である
これにより
粘着ロールに巻き付いた髪の毛などを刃（A48）で切断することができ
カット具（A50）を使用しないときは収納しておくことができる
【００２２】
請求項２０に記載の発明は
請求項６から請求項１３に記載のいずれかの粘着ロール掃除器において、
刃（A48）を備えたカット具（A50）を粘着ロール掃除器の一部に収納自在にさらに設けたことを特徴とする
テープ交換が簡単な粘着ロール掃除器である
これにより
粘着ロールに巻き付いた髪の毛などを刃（A48）で切断することができ
カット具（A50）を使用しないときは収納しておくことができる
【００２３】
請求項２１に記載の発明は
請求項１７から請求項１８に記載のいずれかの粘着ロールテープにおいて
接合材で積層された粘着テープ（A24）を一枚ずつめくり剥がすための
つまみ（A23）を粘着テープの一部に２つずつ並べて設けたことを特徴とする粘着ロールテープである
これにより
接合材で積層された粘着テープ（A24）を一つ目のつまみで切り離し、２たつ目のつまみで一枚ずつめくり剥がす
ことができる
【００２４】
請求項２２に記載の発明は
請求項１７から請求項１８及び請求項２１に記載のいずれかの粘着ロールテープにおいて、
さらに粘着ロールテープの切り取りを自在にするミシン目加工（A46）を、つまみ（A23）から
半直線上にもう一方の筒の端まで設けたことを特徴とする粘着ロールテープである
これにより
接合材で積層された粘着テープ（A24）をミシン目加工により、つまみからめくることで切り離
すことができる
【００２５】
請求項２３に記載の発明は
請求項２１に記載のいずれかの粘着ロールテープにおいて、
さらに粘着ロールテープの切り取りを自在にするミシン目加工（A46）を、２つ並べたつまみ（A23）
の間から半直線上にもう一方の筒の端まで設けたことを特徴とする粘着ロールテープである
これにより
接合材で積層された粘着テープ（A24）を一つ目のつまみでミシン目加工により切り離し、２たつ目の
つまみで一枚ずつめくり剥がすことができる
【００２６】
請求項２４に記載の発明は
請求項１６から請求項１８及び請求項２１から請求項２３に記載のいずれかの粘着ロールテープにおいて、
さらに接合材に繊維を追加したことを特徴とする粘着ロールテープである
これにより
繊維により接合材で接着された粘着ロールテープを一枚ずつ綺麗に切り離すことができる
【００２７】
請求項２５に記載の発明は
請求項１４から請求項１８及び請求項２１から請求項２４に記載のいずれかの粘着ロールテープにおいて、
さらに粘着ロールテープのテープ交換までの手順番号を粘着ロールテープに表記したことを特徴とする
粘着ロールテープである
これにより
手順に沿って行うことで簡単に新しいテープ面に交換することができる
【００２８】
請求項２６に記載の発明は
請求項１から請求項１３及び請求項１９から請求項２０に記載のいずれかの粘着ロール掃除器において、
さらに粘着ロールテープのテープ交換までの手順番号を粘着ロール掃除器の部品に表記したことを特徴とする
テープ交換が簡単な粘着ロール掃除器である
これにより
手順に沿って行うことで簡単に新しいテープ面に交換
することができる
【００２９】
請求項２７に記載の発明は
請求項１４から請求項１８及び請求項２１から請求項２５に記載のいずれかの粘着ロールテープにおいて
粘着ロール掃除器に装着自在に設けたことを特徴とするテープ交換が簡単な粘着ロール掃除器である
これにより
粘着ロール掃除器を使用して髪の毛などが巻き付いてもテープ交換を簡単にすることができる
【００３０】
請求項２８に記載の発明は
請求項１４から請求項１８及び請求項２１から請求項２５に記載のいずれかの粘着ロールテープにおいて
請求項１から請求項９１３及び請求項１９から請求項２０及び請求項２６に記載のいずれかの
粘着ロール掃除器に装着自在に設けたことを特徴とするテープ交換が簡単な粘着ロール掃除器である
これにより
粘着ロール掃除器を使用して髪の毛などが巻き付いてもテープ交換を簡単にすることができる
【発明の効果】
【００３１】
本発明により、
粘着ロール掃除器のテープ面に髪の毛などが巻きついた場合も
カット部をスライドすることでテープ面に巻き付いた髪の毛をカット部の刃でカットでき
簡単に髪の毛の巻きつきを解消して新しいテープ面に交換することができる
また粘着ロール掃除器の粘着ロール設置部に重りを設けているため、
粘着ロール掃除器を持ち上げることで粘着ロールが回動することで
新しいテープ面に交換するための粘着テープのつまみが常に上に来るため
簡単に新しいテープ面に交換することができる
【発明を実施するための形態】
【００３２】
以下、本発明の実施の形態を説明する
[実施形態１］
本発明の
テープ交換が簡単な粘着ロール掃除器（A１１）の構成は
一枚ずつめくり剥がせる粘着テープ（A24）をCの字状に積層して溝（A26）を設けた略ロール状とし、さらに
積層した粘着テープ（A24）の両方の端（A36）と粘着テープの芯（A20）に接合材（A28）を塗り
積層した粘着テープ同士（A24）と積層した粘着テープの芯（A20）を接合材（A28）により接着して固定し、
さらに糊づけで積層された粘着テープ（A24）を一枚ずつめくり剥がすための
つまみ（A23）を粘着テープ端（A36）の四隅に設けて粘着ロール（A27）とし
さらに前記粘着ロール（A27）を装着する粘着ロール掃除器（A11）の粘着ロール装着部（A37）にも
粘着ロールの溝（A26）と揃う溝（A43）を設け
さらに粘着ロール装着部（A37）の軸穴（A30）を介して溝（A43）と反対側に重り（A18）を設け、
粘着ロール掃除器（A11）を地面から持ち上げた時に、重り（A18）により
粘着ロール装着部（A37）が粘着ロール（A27）と共に回動し
常に粘着ロール（A27）の溝（A26）と粘着テープのつまみ（A23）の位置が上方向の位置になるように設け
粘着ロール（A27）の隣にさらに粘着ロール掃除器（A11）で掃除することで巻き付く髪の毛などをカットする
ための刃（A44）を備えたカット部（A14）とカット部（A14）が滑動する案内バー（A25）を
備えたカット具（A15）を軸棒（A16）に回動自在に設け、
カット具（A15）にさらに軸棒（A16）を介して案内バー（A25）の反対側にさらに重り（A17）を設け
重り（A17）によりカット具（A15）が回動し
粘着ロール掃除器（A11）を持ち上げた際に常に刃（A44）でカットする位置が粘着ロール（A27）の溝（A26）
と同じ位置になるように設け、さらにカット具（A15）に巻きバネ（A31）を備えた巻取り部（A33）設け、
巻き取り部（A33）の巻きバネ（A31）とカット部（A14）を繋げて設け、
巻きバネ（A31）の復元力により案内バー（A25）をスライドしてカット部（A14）が自動で所定の位置に戻るように設ける
本発明のテープ交換が簡単な粘着ロール掃除器を使用する場合は（A１１）
粘着ロール掃除器（A11）を地面から離して持ち上げカット部（A14）をスライドして巻き付いた髪の毛などを
カット部（A14）の刃（A44）でカットし、粘着テープ（A24）を
つまみ（A23）によりめくることで簡単にテープ交換することができる
【図面の簡単な説明】
【００３３】
【図１】実施形態１のテープ交換が簡単な粘着ロール掃除器の斜視図
【図２】実施形態１のテープ交換が簡単な粘着ロール掃除器の図（A―１）粘着ロールの断面図（A−２）粘着ロールの斜視図
【図３】実施形態１のテープ交換が簡単な粘着ロール掃除器の分解斜視図
【符号の説明】
【００３４】
A１１  テープ交換が簡単な粘着ロール掃除器
A１２  手元
A１３  つまみ
A１４  カット部
A１５  カット具
A１６  軸棒
A１７  重り
A１８  重り
A１９  手順番号
A２０  粘着テープの芯
A２１  粘着テープ固定溝
A２２  粘着テープの芯のフック
A２３  つまみ
A２４  粘着面
A２５  案内バー
A２６  溝
A２７  粘着ロール
A２８  接合材
A２９  断面位置
A３０  装着穴
A３１  巻きバネ
A３２  バネ固定部
A３３  巻取り部
A３４  蓋
A３５  重り装着部
A３６  粘着テープの端
A３７  粘着ロール装着部
A３８  巻きバネ固定部
A３９  つまみの接続部
A４０  接続溝
A４１  巻きバネ接続穴
A４２  軸棒装着穴
A４３  粘着ロール装着部の溝
A４４  刃
A４５  収集部
A４６  ミシン目加工
A４７  フック
A４８  刃
A４９  収集部
A５０  収納式カット具
A５１  収納部
A５２  凹凸部
A５３  凹凸部
【図１】
2019208959.tif 000003
【図２】
2019208959.tif 000004
【図３】
2019208959.tif 000005